(57)【特許請求の範囲】
【請求項１】
映像を表示する表示部と、使用者の眼前に配置されるとともに前記表示部の映像を虚像として使用者の目に導く接眼光学系を有する眼鏡部と、前記眼鏡部に取付けられるとともに使用者の鼻に掛けて前記眼鏡部を支持する左右一対の鼻当て部とを備え、
前記眼鏡部と前記鼻当て部とを連結する連結部を有し、
左右の前記鼻当て部がそれぞれアーム部を介して前記連結部に取り付けられており、
前記アーム部が前記連結部に回動可能に取り付けられており、
それぞれのアーム部の回動により前記連結部に対するアーム部の相対角度を左右独立に可変とし、回動後のアーム部を前記連結部に固定可能に、前記アーム部が前記連結部に取り付けられており、
前記連結部に対するアーム部の相対角度を左右独立に可変とすることにより、左右の前記鼻当て部をそれぞれ独立に可動にして、前記鼻当て部の間隔を変更した後、前記それぞれのアーム部を固定し、左右の前記鼻当て部の位置を独立に固定できるよう構成されており、
左右の前記アーム部を前記連結部に押止するストッパーを更に有し、前記鼻当て部の間隔を狭くする方向の付勢力が前記アーム部に加えられており、前記ストッパーを押圧すると、前記連結部に対する前記アーム部の押止状態が緩んで前記アーム部が前記付勢力による可動状態となり、前記ストッパーの押圧を止めると、前記付勢力に抗して前記アーム部が前記連結部に押止されて固定状態となることを特徴とする映像観察装置。
【請求項２】
前記表示部から出射される映像光を取り入れて、反射しながら導光するプリズムを前記眼鏡部に設けたことを特徴とする請求項１に記載の映像観察装置。
【請求項３】
前記接眼光学系は映像光を回折するホログラム素子から成り、前記ホログラム素子を前記プリズムの傾斜した反射面に形成したことを特徴とする請求項２に記載の映像観察装置。
【請求項４】
前記プリズムは、使用者の外界光に対する視度を補正するパワーを有することを特徴とする請求項２または請求項３に記載の映像観察装置。
【請求項５】
前記ストッパーが軸部とその軸部の一端に設けられた押圧部と前記軸部の他端に設けられた座部とを有し、左右の前記アーム部と前記連結部にはそれぞれ貫通孔が形成され、前記ストッパーの軸部が前記３つの貫通孔を挿通し、左右の前記アーム部には引張りバネが取り付けられ、前記押圧部と前記連結部との間には圧縮バネが配置され、前記座部の摩擦力により前記アーム部が前記連結部に押止されることを特徴とする請求項１〜請求項４のいずれかに記載の映像観察装置。
【発明の詳細な説明】
【０００１】
【発明の属する技術分野】
本発明は、眼鏡形状をして頭部に装着することにより映像を観察する頭部装着型の映像観察装置に関する。
【０００２】
【従来の技術】
従来の頭部装着型の映像観察装置は、特開平４−２３５８１号公報に開示されている。同公報によると、映像観察装置は、映像を表示する表示素子と、映像を使用者の目に導く接眼光学系とが筐体で覆われた眼鏡部を備えている。眼鏡部の両端には使用者の耳に掛ける耳掛け部が設けられ、眼鏡部の略中央には使用者の鼻に掛ける左右一対の鼻当て部が設けられている。これにより、眼鏡部が使用者の眼前に配置される。
【０００３】
表示素子により射出される映像光は筐体内を導光し、接眼光学系を介して映像の虚像が使用者の目に導かれる。これにより、使用者が映像を観察できるようになっている。また、鼻当て部は前後に移動可能に形成され、鼻当て部を移動させることにより各使用者の目に応じた位置に映像観察装置の光学瞳を配置することができるようになっている。
【０００７】
【発明が解決しようとする課題】
しかしながら、上記の特開平４−２３５８１号公報に開示された映像観察装置によると、左右の鼻当て部の間隔が一定のため、該間隔を広くすると使用者の鼻が小さい場合には鼻当て部が使用者の鼻にかからず映像観察装置がずり落ちる場合がある。このため、該間隔が狭く形成され、使用者の鼻の先端部に鼻当て部が当接する。従って、鼻と鼻当て部との当接面積が小さくなり、長時間映像観察装置を装着すると鼻が痛くなり装着感が悪くなる問題があった。
【０００９】
本発明は、使用者の装着感を向上させることのできる映像観察装置を提供することを目的とする。
【００１０】
【課題を解決するための手段】
上記目的を達成するために請求項１に記載された発明は、映像を表示する表示部と、使用者の眼前に配置されるとともに前記表示部の映像を虚像として使用者の目に導く接眼光学系を有する眼鏡部と、前記眼鏡部に取付けられるとともに使用者の鼻に掛けて前記眼鏡部を支持する左右一対の鼻当て部とを備え、前記眼鏡部と前記鼻当て部とを連結する連結部を有し、左右の前記鼻当て部がそれぞれアーム部を介して前記連結部に取り付けられており、前記アーム部が前記連結部に回動可能に取り付けられており、それぞれのアーム部の回動により前記連結部に対するアーム部の相対角度を左右独立に可変とし、回動後のアーム部を前記連結部に固定可能に、前記アーム部が前記連結部に取り付けられており、前記連結部に対するアーム部の相対角度を左右独立に可変とすることにより、左右の前記鼻当て部をそれぞれ独立に可動にして、前記鼻当て部の間隔を変更した後、前記それぞれのアーム部を固定し、左右の前記鼻当て部の位置を独立に固定できるよう構成されており、左右の前記アーム部を前記連結部に押止するストッパーを更に有し、前記鼻当て部の間隔を狭くする方向の付勢力が前記アーム部に加えられており、前記ストッパーを押圧すると、前記連結部に対する前記アーム部の押止状態が緩んで前記アーム部が前記付勢力による可動状態となり、前記ストッパーの押圧を止めると、前記付勢力に抗して前記アーム部が前記連結部に押止されて固定状態となることを特徴としている。
【００１１】
この構成によると、映像観察装置は鼻当て部を使用者の鼻に掛けて眼鏡部が使用者の眼前に配置される。表示部から映像光が出射されると、接眼光学系を介して映像の虚像が使用者の目に導かれる。これにより使用者が映像を観察できる。眼鏡部に設けられる鼻当て部は左右方向に移動して使用者の鼻に応じた位置に当接して眼鏡部が支持される。また、鼻当て部の間隔の調整により眼鏡部が上下移動され、使用者の目に接眼光学系の光学瞳が配置される。左右の前記鼻当て部をそれぞれ独立に可動にしたことにより、使用者によって異なる鼻と目との相対位置に応じて左右の鼻当て部が移動量または移動方向を変えて移動される。これにより、使用者の目に対して接眼光学系の光学瞳が左右方向に移動し、使用者の目に光学瞳が配される。
【００１５】
また請求項２に記載された発明は、請求項１に記載された映像観察装置において、前記表示部から出射される映像光を取り入れて、反射しながら導光するプリズムを前記眼鏡部に設けたことを特徴としている。この構成によると、映像光はプリズムの表面と裏面との間を反射しながら導光し、接眼光学系により映像の虚像が使用者の目に導かれる。
【００１６】
また請求項３に記載された発明は、請求項２に記載された映像観察装置において、前記接眼光学系は映像光を回折するホログラム素子から成り、前記ホログラム素子を前記プリズムの傾斜した反射面に形成したことを特徴としている。この構成によると、プリズムを導光する映像光はホログラム素子により回折されて反射し、虚像が使用者の目に導かれる。映像光がプリズムに導光されないときはホログラム素子を透過して外界を観察可能となる。
【００１７】
また請求項４に記載された発明は、請求項２または請求項３に記載された映像観察装置において、前記プリズムは、使用者の外界光に対する視度を補正するパワーを有することを特徴としている。この構成によると、プリズムを通して外界を観察する際に使用者の視力が矯正される。
【００１９】
また請求項５に記載された発明は、請求項１〜請求項４のいずれかに記載された映像観察装置において、前記ストッパーが軸部とその軸部の一端に設けられた押圧部と前記軸部の他端に設けられた座部とを有し、左右の前記アーム部と前記連結部にはそれぞれ貫通孔が形成され、前記ストッパーの軸部が前記３つの貫通孔を挿通し、左右の前記アーム部には引張りバネが取り付けられ、前記押圧部と前記連結部との間には圧縮バネが配置され、前記座部の摩擦力により前記アーム部が前記連結部に押止されることを特徴としている。
【００２１】
【発明の実施の形態】
以下に本発明の実施形態を図面を参照して説明する。図１は第１実施形態の映像観察装置を示す斜視図である。透光性の部材から成るレンズ３、４は連結部８により連結され、眼鏡部１５が構成されている。連結部８には使用者の鼻に掛ける鼻当て部６Ｒ、６Ｌが取付けられている。レンズ３、４の両端には使用者の左右の耳に掛けるテンプル部５Ｌ、５Ｒが延設されている。これにより、レンズ３、４が使用者の眼前に配されるようになっている。
【００２２】
右目用のレンズ３の一部にはプリズム２が埋め込まれ、プリズム２の上部には映像を表示する表示部１０が取付けられている。表示部１０には電源供給及び信号供給用のケーブル７が接続されている。プリズム２を通る側面断面を図２に示すと、表示部１０は筐体１４に覆われて筐体１４によりプリズム２が挟まれている。
【００２３】
筐体１４の外側には、カバー１６が配置されている。カバー１６は支軸１６ａによりプリズム２に回動自在に取付けられている。図３に表示部１０の上面図を示すと、筐体１４内には圧縮バネ１７ａ、１７ｂに付勢されるボール１８ａ、１８ｂが設けられている。ボール１８ａ、１８ｂがプリズム２に設けられた孔部（不図示）と係合することにより、表示部１０がプリズム２に着脱自在に取付けられている。
【００２４】
表示部１０をプリズム２から取り外すと、プリズム２の上面２ｄから外光が侵入する。このため、図４、図５の側面断面図及び正面図に示すように、カバー１６が支軸１６ａを軸に矢印Ｈの方向に回動し、プリズム２の上面２ｄが覆われるようになっている。これにより、表示部１０を脱着し、映像表示装置１を軽量化して通常の眼鏡として違和感なく使用できるようになっている。また、ケーブル７を表示部１０と一体に脱着できるので眼鏡として使用する際に映像表示装置をより軽量化することができる。
【００２５】
図２において、筐体１４によって表示パネル１１、集光レンズ１３及び光源１２が保持されている。表示パネル１１は透過型の液晶パネルから成り、プリズム２の表面２ｂに対して傾斜して配されている。光源１２は発光ダイオード等から成り、表示パネル１１の照射光を出射する。集光レンズ１３は光源１２からの光を集光して表示パネル１１に照射する。プリズム２の下端は表面２ｂに対して傾斜した反射面になっており、体積位相型のホログラム素子２ａが設けられている。
【００２６】
図６は映像観察装置１の上面図を示している。鼻当て部６Ｒ、６Ｌは結合部６４Ｒ、６４Ｌにより軸部６２Ｒ、６２Ｌに連結されている。図７は結合部６４Ｌを拡大した断面図を示している。軸部６２Ｌの端部は中空の結合部６４Ｌ内に挿入されている。
【００２７】
結合部６４Ｌ内には結合部６４Ｌの一端から軸部６２Ｌと直交する方向にネジ６５Ｌが挿通されている。ネジ６５Ｌは軸部６２Ｌに形成された貫通孔６２ａに嵌入され、結合部６４Ｌの他端に螺合されている。結合部６４Ｒについても同様の構成になっている。これにより、鼻当て部６Ｒ、６ＬがＣ方向に回動可能になっており、使用者の鼻の形状に適合させることができる。
【００２８】
図６において、鼻当て部６Ｒ、６Ｌの軸部６２Ｒ、６２Ｌは軸受６１Ｒ、６１Ｌに支持されている。Ａ−Ａ断面図を図８に示すと、軸部６２Ｒは軸受６１Ｒに挿通され、軸受６１Ｒの外周に掛けられたバネ６３Ｒにより図中、下方に押圧されている。このため、軸部６２Ｒは摩擦力に抗して摺動することができる。また、軸部６２Ｌも同様に摺動可能に軸受６１Ｒに支持されている。
【００２９】
その結果、鼻当て部６Ｒ、６Ｌがそれぞれα、β方向（図６参照）に移動可能になっており、使用者の鼻の大きさに応じて鼻当て部６Ｒ、６Ｌの間隔を可変することができる。軸部６２Ｒ、６２Ｌと軸受６１Ｒ、６１Ｌとの間の摩擦力は、表示部１０の重量が約２５ｇであるので、０．２Ｎ（≒２０ｇ重）程度に設定しておけば眼鏡部１５がぐらついたりすることなく映像を観察することができる。
【００３０】
尚、図９に示すように、軸部６１Ｒ、６１Ｌを断面円形に形成すると、Ｃ方向（図７参照）に対して回動軸が直交するＢ方向にも鼻当て部６Ｒ、６Ｌを回動させることができる。従って、使用者の鼻の形状により適合させることができる。
【００３１】
上記構成の映像観察装置１において、ケーブル７から映像信号が表示パネル１１に送られると、映像信号に同期して光源１２が発光する。光源１２から出射された光束は集光レンズ１３により表示パネル１１に照射され、表示パネル１１で変調して映像が表示される。映像光はプリズム２に入射してプリズム２の表面２ｂと裏面２ｃとの間を反射しながら導光し、ホログラム素子２ａに導かれる。ホログラム素子２ａは映像光をコリメートして反射し、使用者の眼Ｅに導く。これにより、使用者は映像を虚像として観察できるようになっている。
【００３２】
プリズム２の表面２ｂに対して傾斜して入射する映像光がプリズム２内を反射して導波されるので、映像光束の断面積が大きくても通常の眼鏡用レンズと同程度（例えば３ｍｍ）までプリズム２を薄くすることができる。これにより、映像観察装置１の小型軽量化を図ることができるようになっている。
【００３３】
尚、ホログラム素子２ａを用いることにより映像が表示されないときは、使用者はプリズム２を通して外界を見ることができる。プリズム２の下端面は傾斜しているので外光の透過光を屈折するが、レンズ３により補正して外界を歪むことなく見ることができるようになっている。
【００３４】
また、レンズ３、４及びプリズム２の前面は曲率を有するように形成され、使用者の視度を補正するパワーを有している。従って、視力の低い使用者でも視力が矯正されて外界を明瞭に観察することができる。レンズ３、４及びプリズム２のパワーは使用者の視力に合わせて設定し、凹レンズにすると近視に対応でき、凸レンズにすると遠視に対応できる。尚、レンズ３、４及びプリズム２を平面に形成してもよい。
【００３５】
本実施形態によると、使用者の鼻の大きさに応じて鼻当て部６Ｒ、６Ｌの間隔を可変することができるので、各使用者の鼻の根本部分に鼻当て部６Ｒ、６Ｌを配置することができる。これにより、鼻の小さい人でも映像観察装置１がずり落ちることがなく、鼻当て部６Ｒ、６Ｌと鼻との当接面積が大きくなって長時間の装着でも痛くならない。従って、使用者の装着感を向上させることができる。
【００３６】
また、鼻当て部６Ｒ、６Ｌの間隔の調節により眼鏡部１５を上下方向に移動させることができる。これにより、ホログラム素子２ａの光学瞳の位置が調節され、所定のアイレリーフＦ（図２参照）の時に映像観察装置１の光学瞳が小さくても各使用者の目に光学瞳を配置することができる。従って、表示パネル１１等を小型にして光学瞳を小さくすることができ、映像観察装置１の小型軽量化を図ることができる。
【００３７】
また、鼻当て部６Ｒ、６Ｌを左右独立に可動することができるので、使用者によって異なる鼻と目との相対位置に応じて左右の鼻当て部６Ｒ、６Ｌの移動量や移動方向を可変することができる。従って、使用者の目に対してホログラム素子２ａの光学瞳が左右方向に移動し、使用者の目に対してより適した位置に光学瞳を配することができる。
【００３８】
次に、図１０は第２実施形態の眼鏡型の映像観察装置の要部を示す上面図である。説明の便宜上、前述の図１〜図９の第１実施形態と同一の部分には同一の符号を付している。本実施形態は、連結部８に取付けられる鼻当て部６Ｒ、６Ｌの間隔が調節ネジ６６の回転により可変になっている。その他の構成は第１実施形態と同一である。
【００３９】
鼻当て部６Ｒ、６Ｌは、第１実施形態と同様に結合部６４Ｒ、６４Ｌによりアーム部７２Ｒ、７２Ｌに対してＣ方向に回動可能に取付けられている。アーム部７２Ｒ、７２Ｌはナット部６８Ｒ、６８Ｌに一体化され、ナット部６８Ｒ、６８Ｌはボルト部６７に螺合されている。ナット部６８Ｒ、６８Ｌは、それぞれ逆方向にネジが形成されており、図示しない回転止めにより回転止めされている。
【００４０】
調節ネジ６６はボルト部６７と一体化されており、調節ネジ６６を所定方向に回転させると、ボルト部６７が回転する。これにより、ナット部６５Ｒ、６５Ｌがそれぞれ移動して鼻当て部６Ｒ、６Ｌの間隔が広がるようになっている。また、調節ネジ６６を逆方向に回転させると、鼻当て部６Ｒ、６Ｌの間隔が狭くなる。
【００４１】
従って、第１実施形態と同様に、使用者の鼻の大きさに応じて鼻当て部６Ｒ、６Ｌの間隔を可変して、各使用者の鼻当て部６Ｒ、６Ｌを鼻の根本部分に配置することができる。これにより、鼻の小さい人でも映像観察装置１がずり落ちることがなく、鼻当て部６Ｒ、６Ｌと鼻の当接面積が大きくなって長時間の装着でも痛くならない。
【００４２】
また、鼻当て部６Ｒ、６Ｌの間隔の調節により眼鏡部１５を上下方向に移動させて各使用者の目に光学瞳を配置することができる。従って、光学瞳を小さくして映像観察装置１の小型軽量化を図ることができる。更に、調節ネジ６６により映像観察装置１を装着した状態で鼻当て部６Ｒ、６Ｌの間隔を調節することができ、映像観察装置１を容易に最適な位置に配置することができる。
【００４３】
次に、図１１、図１２は第３実施形態の眼鏡型の映像観察装置の要部を示す上面部及び正面図である。説明の便宜上、前述の図１〜図９の第１実施形態と同一の部分には同一の符号を付している。本実施形態は、連結部８に取付けられる鼻当て部６Ｒ、６Ｌの間隔がストッパー６９の押圧により可変になっている。その他の構成は第１実施形態と同一である。
【００４４】
鼻当て部６Ｒ、６Ｌは、第１実施形態と同様に結合部６４Ｒ、６４Ｌによりアーム部７２Ｒ、７２Ｌに対して回動可能に取付けられている。アーム部７２Ｒ、７２Ｌは引張りバネ７０により互いに引き寄せられている。図１３に示すように、連結部８及びアーム部７２Ｒ、７２Ｌには貫通孔８ｂ、７２ａ、７２ｂがそれぞれ設けられ、ストッパー６９の軸部６９ａが挿通されている。
【００４５】
ストッパー６９の一端には押圧部６９ｂが形成され、押圧部６９ｂと連結部８との間には圧縮バネ７１が縮設されている。ストッパー６９の他端には座部６９ｃが設けられている。従って、座部６９ｃの摩擦力によりアーム部７２Ｒ、７２Ｌは引張りバネ７０（図１１参照）の付勢力に抗して連結部８に押止されている。
【００４６】
使用者が押圧部６９ｂを押下すると、アーム部７２Ｒ、７２Ｌは座部６９ｃの摩擦力から脱して引張りバネ７０によりそれぞれＧ１、Ｇ２の方向に回動する。これにより、アーム部７２Ｒ、７２Ｌの間隔が狭くなり、鼻当て部６Ｒ、６Ｌの感覚を調整することができる。
【００４７】
従って、第１実施形態と同様に、使用者の鼻の大きさに応じて鼻当て部６Ｒ、６Ｌの間隔を可変して、各使用者の鼻当て部６Ｒ、６Ｌを鼻の根本部分に配置することができる。これにより、鼻の小さい人でも映像観察装置１がずり落ちることがなく、鼻当て部６Ｒ、６Ｌと鼻の当接面積が大きくなって長時間の装着でも痛くならない。
【００４８】
また、鼻当て部６Ｒ、６Ｌの間隔の調節により眼鏡部１５を上下方向に移動させて各使用者の目に光学瞳を配置することができる。従って、光学瞳を小さくして映像観察装置１の小型軽量化を図ることができる。更に、ストッパー６９により映像観察装置１を装着した状態で鼻当て部６Ｒ、６Ｌの間隔を調節することができ、映像観察装置１を容易に最適な位置に配置することができる。
【００４９】
次に、図１４、図１５は第４実施形態の眼鏡型の映像観察装置の要部を示す上面図及び正面図である。説明の便宜上、前述の図１〜図９の第１実施形態と同一の部分には同一の符号を付している。本実施形態は、連結部８に設けられる調節ネジ８１の回転により左右のレンズ３、４の間隔が可変になっている。その他の構成は第１実施形態と同一である。
【００５０】
連結部８はレンズ３、４に固定された取付部８０Ｒ、８０Ｌを有している。取付部８０Ｒからは右ネジ部８２Ｒ及び軸部８４が突設されている。取付部８０Ｌからは左ネジ部８２Ｌ及び筒部８５が突設され、筒部８５に軸部８４が嵌入されている。
【００５１】
調節ネジ８１には雌ねじが形成されており、一方が右ネジ、他方に左ネジになっている。そして、調節ネジ８１が右ネジ部８２Ｒ及び左ネジ部８２Ｌと螺合されている。従って、調節ネジ８１をＪの方向に回転すると、右ネジ部８２Ｒ及び左ネジ部８２ＬはそれぞれＫ１、Ｍ１の方向に移動し、レンズ３、４の間隔が広がる。また、調節ネジ８１をＪと逆方向に回転させると、レンズ３、４の間隔が狭くなる。
【００５２】
本実施形態によると、第１実施形態と同様の効果に加え、鼻当て部６Ｒ、６Ｌを独立に移動させるだけでなく、調節ネジ８１の回転によりレンズ３、４を移動させてもホログラム素子２ａの光学瞳を左右方向に移動させることができる。従って、より簡単に光学瞳の位置を調節することができる。
【００５３】
また、第２実施形態（図１０参照）のように、左右の鼻当て部６Ｒ、６Ｌが独立して移動できない場合には、調節ネジ８１の回転によりレンズ３、４を移動させて映像観察装置１の光学瞳の左右方向の位置を調節することができる。従って、使用者によって異なる鼻と目との相対位置に応じてホログラム素子２ａの光学瞳が左右方向に移動し、使用者の目に対してより適した位置に光学瞳が配される。
【００５４】
次に、図１６は第５実施形態の眼鏡型の映像観察装置を示す斜視図である。説明の便宜上、前述の図１〜図９の第１実施形態と同一の部分には同一の符号を付している。本実施形態は、レンズ３、４がフレーム９に覆われて保持されている。表示部１０に信号等を供給するケーブル７はフレーム９及びテンプル部５Ｌ内に挿通されている。その他の構成は第１実施形態と同様である。
【００５５】
レンズ３及びレンズ３と一体のプリズム２はフレーム９に嵌められており、フレーム９の前面部９ａ及び背面部（不図示）により挟持されている。このため、プリズム２及びレンズ３はフレーム９との摩擦力に抗してＫ方向に摺動可能になっている。従って、プリズム２を移動させてホログラム素子２ａの光学瞳の位置を調節することができる。これにより、鼻と目の相対位置が使用者により異なっても光学瞳を適した位置に配置することができる。
【００５６】
次に、図１７は第６実施形態の眼鏡型の映像観察装置を示す斜視図である。前述の図１〜図９の第１実施形態と同一の部分には同一の符号を付している。本実施形態は第１実施形態と同様に構成され、左右のレンズ３、４の双方にプリズム２及び表示部１０を設けて両眼により表示部１０の映像を観察できるようになっている。この場合も、第１実施形態と同様に、鼻当て部６Ｒ、６Ｌがα、β方向に移動可能になっているので第１実施形態と同様の効果を得ることができる。
【００５７】
また、第４実施形態（図１５参照）のように、左右のレンズ３、４の間隔を可変にすると、使用者により異なる左右の目の間隔に応じて左右のホログラム素子２ａの光学瞳を最適な位置に配置することができる。即ち、鼻当て部６Ｒ、６Ｌの間隔を可変して光学瞳の上下位置が調整され、鼻当て部６Ｒ、６Ｌを独立に移動し鼻に対する目の位置が調整される。そして、レンズ３、４の間隔を可変して、光学瞳の間隔が両目の間隔に調整される。従って、表示パネル１１等を小型にして光学瞳を小さくすることができ、映像観察装置１のより小型軽量化を図ることができる。
【００５８】
次に、図１８は第７実施形態の眼鏡型の映像観察装置を示す斜視図である。前述の図１〜図９の第１実施形態と同一の部分には同一の符号を付している。本実施形態は外界を観察できない頭部装着型の映像観察装置になっている。フレーム９１内には表示部及び接眼光学系（いずれも不図示）が設けられ、窓部９１Ｒ、９１Ｌを介して映像を観察するようになっている。この場合も、鼻当て部６Ｒ、６Ｌが第１実施形態と同様の構成になっており、鼻当て部６Ｒ、６Ｌがα、β方向に移動可能になっているので第１実施形態と同様の効果を得ることができる。
【００５９】
【発明の効果】
本発明によると、使用者の鼻の大きさに応じて鼻当て部の間隔を可変することができるので、鼻当て部を鼻の根本部分に配置することができる。これにより、鼻の小さい人でも映像観察装置がずり落ちることがなく、鼻当て部と鼻との当接面積が大きくなって長時間の装着でも痛くならない。従って、使用者の装着感を向上させることができる。
【００６０】
また、鼻当て部の間隔の調節により眼鏡部を上下方向に移動させることができるので、所定のアイレリーフの時に映像観察装置の光学瞳が小さくても各使用者の目に光学瞳を配置することができる。従って、表示部等を小型にして光学瞳を小さくすることができ、映像観察装置の小型軽量化を図ることができる。
【００６２】
また本発明によると、鼻当て部が左右独立に可動するので、使用者に応じて鼻と目との位置関係が異なる場合でも接眼光学系を相対的に左右方向に移動して各使用者に最適な位置に映像観察装置を配置することができる。
【００６４】
また本発明によると、映像光がプリズム内を反射して導光されるので映像光束の断面積が大きくても通常の眼鏡用レンズと同程度までプリズムを薄くすることができる。これにより、映像観察装置の小型軽量化を図ることができる。
【００６７】
また本発明によると、接眼光学系としてホログラム素子を用いているので、映像観察が行われないときは使用者はホログラム素子を透過して外界を見ることができる。
【００６８】
また本発明によると、プリズムが使用者の視度を補正するパワーを有するので、視力の低い使用者でも外界を明瞭に観察することができる。
【図面の簡単な説明】
【図１】    本発明の第１実施形態の映像観察装置を示す斜視図である。
【図２】    本発明の第１実施形態の映像観察装置を示す断面図である。
【図３】    本発明の第１実施形態の映像観察装置の表示部を示す上面図である。
【図４】    本発明の第１実施形態の映像観察装置の表示部を脱着した状態を示す断面図である。
【図５】    本発明の第１実施形態の映像観察装置の表示部を脱着した状態を示す正面図である。
【図６】    本発明の第１実施形態の映像観察装置を示す上面図である。
【図７】    本発明の第１実施形態の映像観察装置の鼻当て部を示す上面図である。
【図８】    図６のＡ−Ａ断面図である。
【図９】    本発明の第１実施形態の映像観察装置の軸部の他の形状を示す断面図である。
【図１０】  本発明の第２実施形態の映像観察装置の要部を示す上面図である。
【図１１】  本発明の第３実施形態の映像観察装置の要部を示す上面図である。
【図１２】  本発明の第３実施形態の映像観察装置の要部を示す正面図である。
【図１３】  本発明の第３実施形態の映像観察装置のストッパーを示す拡大図である。
【図１４】  本発明の第４実施形態の映像観察装置の要部を示す上面図である。
【図１５】  本発明の第４実施形態の映像観察装置の要部を示す正面図である。
【図１６】  本発明の第５実施形態の映像観察装置を示す斜視図である。
【図１７】  本発明の第６実施形態の映像観察装置を示す斜視図である。
【図１８】  本発明の第７実施形態の映像観察装置を示す斜視図である。
【符号の説明】
１    映像観察装置
２    プリズム
２ａ  ホログラム部
３、４  レンズ
５Ｒ、５Ｌ  テンプル部
６Ｒ、６Ｌ  鼻当て部
９、９１  フレーム
１０    表示部
１１    表示パネル
１２    光源
１３    集光レンズ
１４    筐体
１５    眼鏡部
１６    カバー
１７ａ、１７ｂ  圧縮バネ
１８ａ、１８ｂ  ボール
６１Ｌ、６１Ｒ  軸受
６２Ｌ、６２Ｒ  軸部
６３Ｌ、６３Ｒ  バネ
６４Ｌ、６４Ｒ  結合部
６５Ｌ、６５Ｒ  ネジ
６６    調節ネジ
６７    ボルト部
６８Ｒ、６８Ｌ  ナット部
６９    ストッパー
７０    引張りバネ
７１    圧縮バネ
７２Ｒ、７２Ｒ  アーム部
８１    調節ネジ
８２Ｒ  右ネジ部
８２Ｌ  左ネジ部
８４    軸部
８５    筒部
９１    フレーム
【図１】
0004626072.tif 000002
【図２】
0004626072.tif 000003
【図３】
0004626072.tif 000004
【図４】
0004626072.tif 000005
【図５】
0004626072.tif 000006
【図６】
0004626072.tif 000007
【図７】
0004626072.tif 000008
【図８】
0004626072.tif 000009
【図９】
0004626072.tif 000010
【図１０】
0004626072.tif 000011
【図１１】
0004626072.tif 000012
【図１２】
0004626072.tif 000013
【図１３】
0004626072.tif 000014
【図１４】
0004626072.tif 000015
【図１５】
0004626072.tif 000016
【図１６】
0004626072.tif 000017
【図１７】
0004626072.tif 000018
【図１８】
0004626072.tif 000019